【事件の表示】
　特願２００４−２４３３０３「情報処理装置、情報処理システムおよび情報処理方法」拒絶査定不服審判事件〔平成１８年　３月　２日出願公開、特開２００６−　５９２９２〕について、次のとおり審決する。
【結　論】
　本件審判の請求は、成り立たない。
【理　由】
　  
第１　手続の経緯 
　  
　本願は、平成１６年８月２４日に出願したものであって、平成２１年１２月１８日付けの拒絶理由通知に対して平成２２年２月１５日付けで手続補正がなされ、同年３月３日付けの最後の拒絶理由通知に対して同年４月２２日付けで手続補正がなされたが、同年５月１２日付けで補正の却下の決定がなされるとともに、同日付けで拒絶査定がなされ、これに対し、同年８月１８日付けで拒絶査定不服審判が請求されるとともに、同日付けで手続補正がなされた。 
　その後、平成２４年１月１２日付けで審尋がなされ、同年３月１９日付けで回答書が提出されたものである。
　 
　
第２　平成２２年８月１８日付けの手続補正についての補正却下の決定 
　 
［補正却下の決定の結論］ 
　平成２２年８月１８日付けの手続補正（以下「本件補正」という。）を却下する。 
　 
［理由］ 
　
１　本件補正 
　
本件補正前に、 
「【請求項１】
　撮像エリア内の画像を取り込むとともに、その撮像エリア内の撮像対象物から送信される、当該撮像対象物の緯度、経度の情報である第１の位置情報を含む識別信号を取り込む入力手段と、
　前記入力手段で取り込んだ前記識別信号に基づき、当該識別信号と対応する、前記撮像対象物に関する情報を取得する情報取得手段と、
　前記画像の撮像エリアの位置情報である第２の位置情報を把握する位置情報把握手段と、
　前記入力手段によって取り込んだ画像と、前記情報取得手段によって取得した前記撮像対象物に関する情報とを表示するとともに、前記位置情報把握手段が取得した前記第２の位置情報と前記入力手段が取り込んだ前記第１の位置情報とを基に、前記画像内に前記撮像対象物の位置を示す表示手段と
　を備える情報処理装置。
　　【請求項２】
　前記情報取得手段は、ネットワークを介して外部のサーバに前記画像に関する情報の要求を行う
　請求項１記載の情報処理装置。
　　【請求項３】
　撮像対象物に備えられ、当該撮像対象物の緯度、経度の情報である第１の位置情報を含む識別信号を発信する識別信号発生装置と、
　撮像エリア内の画像を取り込むとともに、その撮像エリア内の撮像対象物の識別信号発生装置から発信される前記識別信号を取り込む入力手段と、
　前記入力手段で取り込んだ前記識別信号に基づき、当該識別信号と対応する、前記撮像対象物に関する情報を取得する情報取得手段と、
　前記画像の撮像エリアの位置情報である第２の位置情報を把握する位置情報把握手段と、
　前記入力手段によって取り込んだ画像と、前記情報取得手段によって取得した前記撮像対象物に関する情報とを表示するとともに、前記位置情報把握手段が取得した前記第２の位置情報と前記入力手段が取り込んだ前記第１の位置情報とを基に、前記画像内に前記撮像対象物の位置を示す表示手段と
　を備える情報処理システム。
　　【請求項４】
　撮像対象物の画像を取り込み表示する情報処理装置を備えた情報処理装置の情報処理方法であって、
　前記情報処理装置の入力手段が、撮像エリア内の画像を取り込むとともに、その撮像エリア内の撮像対象物が発信する、前記撮像対象物の緯度、経度の情報である第１の位置情報を含む識別信号を取り込む第１の工程と、
　前記情報処理装置の情報取得手段が、前記第１の工程において取り込んだ前記識別信号に基づき、当該識別信号と対応する、前記撮像対象物に関する情報を取得する第２の工程と、
　前記情報処理装置の位置情報把握手段が、前記画像の撮像エリアの位置情報である第２の位置情報を把握する第３の工程と、
　前記情報処理装置の表示手段が、前記第１の工程において取り込んだ画像と、前記第２の工程において取得された前記撮像対象物に関する情報とを表示するとともに、前記第３の工程において取得された前記第２の位置情報と前記前記第１の工程において取り込んだ前記第１の位置情報とを基に、前記画像内に前記撮像対象物の位置を示す第４の工程と、
　を有する情報処理方法。」
　とあったところを、 
　 
本件補正により、
「【請求項１】
　識別情報を発信可能な識別情報発信手段を備えた撮像対象物を含む撮像エリア内の画像を撮像するとともに、前記撮像対象物に設けられた前記識別情報発信手段から発信される当該撮像対象物の識別信号を入力する入力手段と、
　前記入力手段で入力した前記識別信号に基づき、ネットワークを介して外部装置としての、前記識別情報に対応する関連情報を記憶しているサーバに前記画像に関する関連情報を取得する要求を行い、前記外部装置から当該識別信号に対応する、前記撮像対象物に関する関連情報を取得する情報取得手段と、
　前記撮像した撮像対象物を含む撮像エリア内の画像における、前記識別情報発信手段が識別信号を発信している画素の座標位置を特定して記憶する、位置情報把握手段と、
　前記入力手段によって撮像した前記撮像対象物を含む撮像エリア内の画像と、前記情報取得手段によって取得した前記撮像対象物に関する関連情報とを表示器に表示するとともに、前記位置情報把握手段が取得した前記画素の座標位置に前記撮像対象物を示すマークを前記表示器に表示する、表示手段と
　を備える
　情報処理装置。
　　【請求項２】
　撮像対象物に備えられ、当該撮像対象物の識別信号を発信する識別信号発信装置と、
　識別情報発信手段を備えた撮像対象物を含む撮像エリア内の画像を撮像するとともに、
前記撮像対象物に設けられた前記識別情報発信手段から発信される当該撮像対象物の識別信号を入力する入力手段と、
　前記入力手段で入力した前記識別信号に基づき、ネットワークを介して外部装置としての、識別情報に対応する関連情報を記憶しているサーバに前記画像に関する関連情報を取得する要求を行い、前記外部装置から当該識別信号に対応する、前記撮像対象物に関する関連情報を取得する情報取得手段と、
　前記撮像した撮像対象物を含む撮像エリア内の画像における、前記識別情報発信手段が識別信号を発信している画素の座標位置を特定して記憶する、位置情報把握手段と、
　前記入力手段によって撮像した前記撮像対象物を含む撮像エリア内の画像と、前記情報取得手段によって取得した前記撮像対象物に関する関連情報とを表示器に表示するとともに、前記位置情報把握手段が取得した前記画素の座標位置に前記撮像対象物を示すマークを前記表示器に表示する、表示手段と
　を備える、
　情報処理システム。
　　【請求項３】
　撮像対象物の画像を取り込み表示する、入力手段、情報取得手段、位置情報把握手段、表示手段を有する情報処理装置の情報処理方法であって、
　前記入力手段が、識別情報を発信可能な識別情報発信手段を備えた撮像対象物を含む撮像エリア内の画像を撮像するとともに、前記撮像対象物に設けられた前記識別情報発信手段から発信される当該撮像対象物の識別信号を入力する、第１の工程と、
　前記情報取得手段が、前記入力手段で入力した前記識別信号に基づき、ネットワークを介して外部装置としての、識別情報に対応する関連情報を記憶しているサーバに前記画像に関する関連情報を取得する要求を行い、前記外部装置から当該識別信号に対応する、前記撮像対象物に関する関連情報を取得する第２の工程と、
　前記位置情報把握手段が、前記撮像した撮像対象物を含む撮像エリア内の画像における、前記識別情報発信手段が識別信号を発信している画素の座標位置を特定して記憶する、第３の工程と、
　前記表示手段が、前記入力手段によって撮像した前記撮像対象物を含む撮像エリア内の画像と、前記情報取得手段によって取得した前記撮像対象物に関する関連情報とを表示器に表示するとともに、前記位置情報把握手段が取得した前記画素の座標位置に前記撮像対象物を示すマークを前記表示器に表示する、第４の工程と
　を有する、
　情報処理方法。」
　とするものである。 
　
　
２　判断
　
　本件補正は、補正前の請求項１の「当該撮像対象物の緯度、経度の情報である第１の位置情報を含む識別信号」を、「当該撮像対象物の識別信号」とするものであって、「緯度、経度の情報である第１の位置情報を含む」事項を削除する補正事項を含むものである。
　
　したがって、この補正は、識別信号を上位概念化するものであって、特許請求の範囲の減縮、請求項の削除、誤記の訂正、明りょうでない記載の釈明のいずれの目的にも該当しない。
　　
　よって、本件補正は、平成１８年法律第５５号改正附則第３条第１項によりなお従前の例によるとされる同法による改正前の特許法（以下「平成１８年改正前の特許法」という。）第１７条の２第４項第１号ないし第４号に掲げる事項を目的とするものに該当しない。
　
　なお、請求人は、平成２２年８月１８日付けの審判請求書２において、「２．補正　本願出願人は、上記拒絶の理由を解消すべく、本意見書と同時に提出した手続補正書において下記に概要を記す補正を行いました。‥‥‥ ２．１　請求項の補正　以下、補正した請求項を下記に転記して、補正の説明を致します。‥‥‥（１）新請求項１‥‥‥（１．３）補正の詳細説明　
補正１、３
　
　
３　本件補正についてのむすび　
　以上のとおり、本件補正は、平成１８年改正前の特許法第１７条の２第４項の規定に違反するので、特許法第１５９条第１項の規定において読み替えて準用する同法第５３条第１項の規定により却下すべきものである。
　
  
第３　本願発明について  
　
１　本願発明  
　
　平成２２年８月１８日付けの手続補正は上記のとおり却下され、また、平成２２年４月２２日付けの手続補正は、同年５月１２日付けの補正の却下の決定により却下されているので、本願の請求項に係る発明は、平成２２年２月１５日付けの手続補正で補正された特許請求の範囲の請求項１ないし４に記載された事項により特定されるものであるところ、請求項１に係る発明（以下「本願発明」という。）は、上記「第２［理由］１」の本件補正前の「請求項１」として記載したとおりのものである。 
　
　
２　引用例及びその記載事項
　  
　原査定の拒絶の理由に引用された、本願の出願の日前に頒布された刊行物である特開平２００３−１７４５７８号公報（平成１５年６月２０日公開、以下「引用例」という。）には、図面とともに以下の事項が記載されている（なお、下線は当審で付した。また、丸付数字は「(1)」などと表記した。）。
　
（ａ）「【０００８】図２は本発明を適用した電子カメラと該電子カメラを利用した電子画像通信システムの概念図である。図１において、
電子カメラ１００は
所定サイズの撮影画面内に入る被写界を撮影
する。
この携帯電話１６０は電子カメラ１００の被写体となる人物が所持していることが想定されており、
またこの携帯電話１６０はＧＰＳなどの測位手段（位置検出手段）が内蔵されている。
【０００９】
電子カメラ１００により被写体となる人物を撮影する
【００１０】
電子カメラ１００は液晶表示画面を備え、
電子カメラ１００は前記無線携帯電話回線１９０とインターネット１３０を介して、被写体の関連情報に基づき種々の情報サーバーや情報サイトにアクセスし、被写体に関する詳細な情報を入手
することができる。
　
（ｂ）「【００３８】図１５は無線交信処理サブルーチンの詳細フローチャートであって、Ｓ４０で起動すると、Ｓ４０１で撮影モードであるかチェックし、撮影モードでない場合はＳ４０８でリターンする。
撮影モードの場合は、
電子カメラ１００の周囲にある電子機器（被写体となる人物が所持している携帯電話
）に対して無線交信を試みる。
交信が成立した交信相手の電子機器より電子機器の位置情報データ
を無線交信により取得する。
電子カメラ１００自身の位置情報をＧＰＳ回路６１から受け取るとともに、電子カメラ１００自身の姿勢情報を姿勢検出回路６２から受け取り、前記電子機器の位置情報と電子カメラ１００の位置情報と電子カメラ１００の姿勢情報から
電子カメラ１００に対する被写体（電子機器）の位置を求める。
撮影レンズ１０の焦点距離情報を撮影制御回路６０から受け取り、
該焦点距離情報と撮像素子の有効画面サイズから撮影時の画角を演算するとともに、前記電子カメラ１００に対する被写体の位置情報に基づき、撮影した画面内での被写体の位置（画面内位置情報データ）を生成
する。
【００３９】図１６は上記レリーズ割込み処理と
無線交信処理の際の電子カメラと電子機器との間で行われる無線交信動作を説明する
【００４０】この(1)交信要求を受信した電子機器は、これに応答してして電子カメラ１００に対し(2)応答を行い、送信元の電子機器の識別情報と送信先の電子カメラ識別情報を送信する。(2)応答を受信した
電子カメラ１００は、
交信相手の電子機器を特定して関連情報を要求するために、
情報要求を送信する。
【００４１】(3)情報要求に含まれる電子機器の識別情報に対応する
電子機器は、要求された関連情報（位置情報、アクセス情報など）を電子カメラに
情報送信する。
情報送信には、
送信元を示す電子機器の識別情報、関連情報が含まれる。
【００４２】
電子カメラ１００は電子機器からの
情報送信をうけとる。
　
（ｃ）「【００４８】図２５は情報表示モードサブルーチンの詳細フローチャートであって、Ｓ８０で起動すると、まずＳ８０１で
情報表示モードのホーム画面を表示する。ホーム画面では
左画面２１に画像データを表示する。
撮影モードから情報表示モードに移行した場合には最後に撮影された画像ファイルの画像データが表示される。また左画面２１には画像データに重畳（スーパーインポーズ）して、付加情報データに含まれる画面内位置情報データに応じた位置に
アイコン８２、８３が表示される
　
（ｄ）「【００５１】図２６において
アイコン８２またはアイコン８３がタッチされた場合は
アイコンが示す被写体情報に含まれるインターネットアクセス情報データに応じて
インターネット上の被写体に関連する詳細な情報を蓄積した情報源（ホームページやデータベース）にアクセスし、そのホームページ
を表示する。例えばアイコン８２をタッチした場合には、図２９に示すように被写体となっている人物のホームページ
が左画面２１に表示され
る。またアイコン８３をタッチした場合には、図３０に示すように、画面に写っている歴史的建造物の解説画面が左画面２１に表示され
る。右画面２２には
画像データがサムネイル画像（縮小画像）で表示され
る。
　
（ｅ）図２９には、右画面に、被写体が表示されることが示されている。
　
　
ア　上記（ａ）の「【０００８】‥‥‥電子カメラ１００は‥‥‥所定サイズの撮影画面内に入る被写界を撮影‥‥‥する。‥‥‥【０００９】電子カメラ１００により被写体となる人物を撮影する」との記載から、被写界において、被写体を撮影するといえるから、引用例に記載の「電子カメラ」は「所定サイズの撮影画面内に入る被写体を撮影する」ものであるといえる。
　
イ　上記（ａ）の「【０００８】‥‥‥この携帯電話１６０は電子カメラ１００の被写体となる人物が所持していることが想定されており、‥‥‥またこの携帯電話１６０はＧＰＳなどの測位手段（位置検出手段）が内蔵されている。」との記載、上記（ｂ）の「【００３８】‥‥‥撮影モードの場合は、‥‥‥電子カメラ１００の周囲にある電子機器（被写体となる人物が所持している携帯電話‥‥‥）に対して無線交信を試みる。‥‥‥交信が成立した交信相手の電子機器より電子機器の位置情報データ‥‥‥を無線交信により取得する。‥‥‥【００４１】‥‥‥電子機器は、要求された関連情報（位置情報、アクセス情報など）を電子カメラに‥‥‥情報送信する。‥‥‥情報送信には、‥‥‥送信元を示す電子機器の識別情報、関連情報が含まれる。」との記載、電子カメラによって被写体を撮影すること、及び位置情報はＧＰＳなどの測位手段（位置検出手段）から得られることは自明であることから、引用例に記載の電子カメラは、「被写体が所持する電子機器（携帯電話）から、電子機器（携帯電話）のＧＰＳから得られる位置情報、及び電子機器の識別信号を取得する」ものといえる。
　
ウ　上記（ｂ）の「‥‥‥【００３９】‥‥‥無線交信処理の際の電子カメラと電子機器との間で行われる無線交信動作を説明する‥‥‥【００４０】‥‥‥電子カメラ１００は、‥‥‥交信相手の電子機器を特定して関連情報を要求するために、情報要求を送信する。‥‥‥【００４１】‥‥‥電子機器は、要求された関連情報（位置情報、アクセス情報など）を電子カメラに‥‥‥情報送信する。‥‥‥情報送信には、‥‥‥送信元を示す電子機器の識別情報、関連情報が含まれる。【００４２】電子カメラ１００は電子機器からの‥‥‥情報送信をうけとる。‥‥‥」との記載から、引用例に記載の電子カメラは、「電子機器の識別情報、関連情報（位置情報、アクセス情報）を含む、情報送信を受け取る」ものである。
　
エ　上記（ａ）の「‥‥‥【００１０】電子カメラ１００は液晶表示画面を備え、‥‥‥電子カメラ１００は前記無線携帯電話回線１９０とインターネット１３０を介して、被写体の関連情報に基づき種々の情報サーバーや情報サイトにアクセスし、被写体に関する詳細な情報を入手‥‥‥することができる。」との記載、上記（ｂ）の「‥‥‥【００４１】‥‥‥電子機器は、要求された関連情報（位置情報、アクセス情報など）を電子カメラに‥‥‥情報送信する。‥‥‥情報送信には、‥‥‥送信元を示す電子機器の識別情報、関連情報が含まれる。【００４２】電子カメラ１００は電子機器からの‥‥‥情報送信をうけとる。‥‥‥」との記載、上記（ｃ）の「【００５１】‥‥‥アイコン８２またはアイコン８３がタッチされた場合は‥‥‥アイコンが示す被写体情報に含まれるインターネットアクセス情報データに応じて‥‥‥インターネット上の被写体に関連する詳細な情報を蓄積した情報源（ホームページやデータベース）にアクセスし、そのホームページ‥‥‥を表示する。」との記載から、電子カメラは、被写体の関連情報であるアクセス情報によって、種々の情報サーバーや情報サイトの情報源にアクセスするものであって、被写体の関連情報は、電子機器から受け取るものであり、また、情報源がホームページである場合には、そのホームページを表示するものであるから、引用例に記載の電子カメラは、「電子機器から受け取った、被写体の関連情報であるアクセス情報によって、情報源にアクセスし、その情報を表示する」ものである。
　
オ　上記（ｂ）の「【００３８】‥‥‥電子カメラ１００自身の位置情報をＧＰＳ回路６１から受け取るとともに、電子カメラ１００自身の姿勢情報を姿勢検出回路６２から受け取り、前記電子機器の位置情報と電子カメラ１００の位置情報と電子カメラ１００の姿勢情報から‥‥‥電子カメラ１００に対する被写体（電子機器）の位置を求める。‥‥‥撮影レンズ１０の焦点距離情報を撮影制御回路６０から受け取り、‥‥‥該焦点距離情報と撮像素子の有効画面サイズから撮影時の画角を演算するとともに、前記電子カメラ１００に対する被写体の位置情報に基づき、撮影した画面内での被写体の位置（画面内位置情報データ）を生成‥‥‥する。」との記載から、引用例に記載の電子カメラは、「電子機器の位置情報と電子カメラの位置情報と電子カメラの姿勢情報から、電子カメラに対する被写体（電子機器）の位置を求め、撮影レンズの焦点距離情報と、撮像素子の有効画面サイズから撮影時の画角を演算するとともに、電子カメラに対する被写体の位置情報に基づき、撮影した画面内での被写体の位置（画面内位置情報データ）を生成する」ものである。
　
カ　上記（ｄ）の「【００５１】‥‥‥アイコン８２またはアイコン８３がタッチされた場合は‥‥‥アイコンが示す被写体情報に含まれるインターネットアクセス情報データに応じて‥‥‥情報源（ホームページやデータベース）にアクセスし、そのホームページ‥‥‥を表示する。例えばアイコン８２をタッチした場合には、図２９に示すように被写体となっている人物のホームページ‥‥‥が左画面２１に表示され‥‥‥る。‥‥‥右画面２２には‥‥‥画像データがサムネイル画像（縮小画像）で表示され‥‥‥る。」との記載、及び上記（ｅ）のとおり、図２９には、右画面に、被写体が表示されることが示されていることから、被写体となっている人物のホームページ、すなわち、被写体に関する情報が左画面に表示され、被写体の画像データが右画面に表示されるものであるから、引用例に記載の電子カメラは、「被写体に関する情報が左画面に表示され、被写体の画像データが右画面に表示される」ものである。
　
キ　上記（ｃ）の「【００４８】‥‥‥画面内位置情報データに応じた位置に‥‥‥アイコン８２、８３が表示される‥‥‥」との記載から、引用例に記載の電子カメラは、「画面内位置情報データに応じた位置にアイコンが表示される」ものである。
　
　
　上記引用例に記載された事項、図面の記載、及び上記アないしキを総合すると、引用例には、次の発明が記載されている（以下「引用発明」という。）。  
　
「所定サイズの撮影画面内に入る被写体を撮影するとともに、
　被写体が所持する電子機器（携帯電話）から、電子機器（携帯電話）のＧＰＳから得られる位置情報、及び電子機器の識別信号を取得する電子カメラであって、
　電子機器の識別情報、関連情報（位置情報、アクセス情報）を含む、情報送信を受け取り、電子機器から受け取った、被写体の関連情報であるアクセス情報によって、情報源にアクセスし、その情報を表示し、
　電子機器の位置情報と電子カメラの位置情報と電子カメラの姿勢情報から、電子カメラに対する被写体（電子機器）の位置を求め、撮影レンズの焦点距離情報と、撮像素子の有効画面サイズから撮影時の画角を演算するとともに、電子カメラに対する被写体の位置情報に基づき、撮影した画面内での被写体の位置（画面内位置情報データ）を生成し、
　被写体に関する情報が左画面に表示され、被写体の画像データが右画面に表示され、また、画面内位置情報データに応じた位置にアイコンが表示される、
電子カメラ。」
　
　
３　対比  
　
　本願発明と引用発明とを対比する。  
　
（Ａ）引用発明の「所定サイズの撮影画面内に入る被写体を撮影するとともに、被写体が所持する電子機器（携帯電話）から、電子機器（携帯電話）のＧＰＳから得られる位置情報、及び電子機器の識別信号を取得する電子カメラ」において、電子機器（携帯電話）のＧＰＳから得られる位置情報データは、緯度、経度の情報として出力することが常套手段であり、また、所定サイズの撮影画面内に入る被写体を撮影するとともに、外部から位置情報、及び電子機器の識別信号を取得するものであるから入力手段を有することは明らかであり、加えて、被写体が所持する電子機器（携帯電話）からの信号は、撮像対象物から送信されるということができるから、本願発明とは「撮像エリア内の画像を取り込むとともに、その撮像エリア内の撮像対象物から送信される、当該撮像対象物の緯度、経度の情報である第１の位置情報を含む識別信号を取り込む入力手段」を有する点で共通する。
　
（Ｂ）引用発明の「電子機器（携帯電話）の識別情報、関連情報（位置情報、アクセス情報）を含む、情報送信を受け取り、電子機器から受け取った、被写体の関連情報であるアクセス情報によって、情報源にアクセスし、その情報を表示」することは、電子機器から受け取った、アクセス情報なる情報信号に基づいて、当該情報信号に対応する被写体に関連する情報を表示するということができ、また、表示する情報を取得する情報取得手段を有することは明らかであるから、引用発明と本願発明とは、「前記入力手段で取り込んだ前記情報信号に基づき、当該情報信号と対応する、前記撮像対象物に関する情報を取得する情報取得手段」を有する点で共通する。
　
（Ｃ）引用発明の「電子機器の位置情報と電子カメラの位置情報と電子カメラの姿勢情報から、電子カメラに対する被写体（電子機器）の位置を求め、撮影レンズの焦点距離情報と、撮像素子の有効画面サイズから撮影時の画角を演算するとともに、電子カメラに対する被写体の位置情報に基づき、撮影した画面内での被写体の位置（画面内位置情報データ）を生成」することにおいて、「撮影時の画角」と「電子カメラに対する被写体の位置情報」に基づき、「撮影した画面内での被写体の位置（画面内位置情報データ）」を生成するものであって、画像の撮像エリアの大きさ（画角）を考慮して、電子カメラに対する被写体の位置情報に基づき、撮影した画面内での被写体の位置（画面内位置情報データ）を生成する、すなわち、画像エリアの大きさの中で、電子カメラに対する被写体がどの位置にあるかを知ることにより、撮影した画面内での被写体の位置（画面内位置情報データ）を生成していることから、画像エリアの大きさ（画角）とともに、その画像エリアの位置を知ることが前提となっているといえ、引用発明と本願発明とは、「前記画像の撮像エリアの位置情報である第２の位置情報を把握する位置情報把握手段」を有するものということができる。
　
（Ｄ）引用発明の「被写体に関する情報が左画面に表示され、被写体の画像データが右画面に表示され」ることは、本願発明の「前記入力手段によって取り込んだ画像と、前記情報取得手段によって取得した前記撮像対象物に関する情報とを表示する」ことに相当する。
　
（Ｅ）引用発明は「画面内位置情報データに応じた位置に被写体情報を示すアイコンが表示される」ものであり、「画面内位置情報データ」は、「電子機器の位置情報と電子カメラの位置情報と電子カメラの姿勢情報から、電子カメラに対する被写体（電子機器）の位置を求め、撮影レンズの焦点距離情報と、撮像素子の有効画面サイズから撮影時の画角を演算するとともに、電子カメラに対する被写体の位置情報に基づき」生成されるものであるから、「電子機器（携帯電話）のＧＰＳから得られる位置情報」（本願発明の「当該撮像対象物の緯度、経度の情報である第１の位置情報」に相当（上記（Ａ）参照））すなわち「電子機器の位置情報」と、「画像エリアの大きさ（画角）とともに、その画像エリアの位置」（本願発明の「前記画像の撮像エリアの位置情報である第２の位置情報」に相当（上記（Ｃ）参照））とに基づいて、「画面内位置情報データ」が生成されるということができるから、引用発明の「画面内位置情報データに応じた位置」は、本願発明の「前記位置情報把握手段が取得した前記第２の位置情報と前記入力手段が取り込んだ前記第１の位置情報とを基に」した「前記画像内」の「前記撮像対象物の位置」ということができる。
　そして、引用発明の「画面内位置情報データに応じた位置に」表示される「アイコン」は、被写体の位置を示す機能を有するものと捉えることができ、また、表示手段を有することは自明であるから、引用発明と本願発明とは、「前記画像内に前記撮像対象物の位置を示す表示手段」を有する点で共通する。
　したがって、引用発明の「画面内位置情報データに応じた位置に被写体情報を示すアイコンが表示される」表示手段は、本願発明の「前記位置情報把握手段が取得した前記第２の位置情報と前記入力手段が取り込んだ前記第１の位置情報とを基に、前記画像内に前記撮像対象物の位置を示す表示手段」に相当する。
　
（Ｆ）引用発明の「電子カメラ」は、情報を処理する機能を有していることから、本願発明の「情報処理装置」に相当する。
　
　すると、本願発明と引用発明とは、次の＜一致点＞及び＜相違点＞を有する。  
　
＜一致点＞  
「撮像エリア内の画像を取り込むとともに、その撮像エリア内の撮像対象物から送信される、当該撮像対象物の緯度、経度の情報である第１の位置情報を含む識別信号を取り込む入力手段と、
　前記入力手段で取り込んだ前記情報信号に基づき、当該情報信号と対応する、前記撮像対象物に関する情報を取得する情報取得手段と、
　前記画像の撮像エリアの位置情報である第２の位置情報を把握する位置情報把握手段と、
　前記入力手段によって取り込んだ画像と、前記情報取得手段によって取得した前記撮像対象物に関する情報とを表示し、また、前記位置情報把握手段が取得した前記第２の位置情報と前記入力手段が取り込んだ前記第１の位置情報とを基に、前記画像内に前記撮像対象物の位置を示す表示手段と
　を備える情報処理装置。」
　
＜相違点＞  
　
（ア）本願発明が「識別信号に基づき、当該識別信号と対応する、前記撮像対象物に関する情報を取得する」のに対し、引用発明は、アクセス情報に基づいて、撮像対象物に関する情報を取得する点。
　
（イ）本願発明が「前記入力手段によって取り込んだ画像と、前記情報取得手段によって取得した前記撮像対象物に関する情報とを表示するとともに、」「前記画像内に前記撮像対象物の位置を示す」表示を行うのに対し、引用発明は、「前記入力手段によって取り込んだ画像と、前記情報取得手段によって取得した前記撮像対象物に関する情報とを表示」し、若しくは「前記画像内に前記撮像対象物の位置を示す」表示を行う点。
　
　
４　判断  
　
＜相違点＞（ア）について  
　引用発明の「被写体のアクセス情報」は、被写体に対応するものであって、この情報に基づいて、撮像対象物に関する情報を取得するものであり、一方、情報源へのアクセス情報として、被写体の識別情報を用いることは周知であるから（原審の平成２１年１２月１８日付けの拒絶理由通知に引用された特開２００３−３４８４２４号公報（「【００１５】受信機２０からＩＤおよび位置データ（例えば座標データ）Ｓ１と撮像信号Ｓ２が画像合成装置３１に供給される。画像合成装置３１は、データベース３２に対してオブジェクトのＩＤに関連する情報例えば選手名を問い合わせる。」参照））、引用発明において、被写体の識別情報を用いて、情報源にアクセスしようとすることは当業者が容易に想到し得る事項である。
　
　なお、請求人は、審判請求書の４．２．２において、「‥‥‥第３の相違点、被写体の指定　‥‥‥引用文献１において、撮像データを画面に表示し、画面において被写体をアイコンなどで指定します。本願発明は、被写体が識別情報を発信するので、画面の表示を通じて関連情報を入手すべき被写体を特定する必要はありません。」旨、主張しているが、本願特許請求の範囲にはこの点について特定されておらず、特許請求の範囲の記載に基づかない主張であり、また、画面において被写体を指定することなく被写体に関連した情報を入手することは、上記特開２００３−３４８４２４号公報（【００１５】同上参照）に記載されており周知であるから、請求人の前記主張を採用することができない。
　
＜相違点＞（イ）について  
　画像内に前記撮像対象物の位置を示す表示を行うことは、引用例においても表示の他の一形態として、被写体の情報と画像上の被写体との関係を確認するために被写体の位置を示すマークを設ける技術が記載されており（引用例の「【００５８】‥‥‥また被写体情報に対応した左画面２１上の被写体の位置に矢印マーク４４が表示される。‥‥‥画像データを左画面２１に表示したまま、右画面２２で被写体情報を閲覧することができるとともに、被写体情報と画像上の被写体との関係を確認することができる。‥‥‥」参照）、引用発明の「被写体に関する情報が左画面に表示され、被写体の画像データが右画面に表示され」たものにおいて、被写体に関する情報と被写体との関係を確認するために「右画面に表示され」た「被写体の画像データ」に前記技術を用いて、被写体の位置を示す機能を有するアイコン（上記３（Ｅ）参照）を表示して、本願発明の上記＜相違点＞（イ）に係る構成のようにすることに格別の困難性を有しない。
　
　
　そして、上記相違点を総合的に判断しても、本願発明が奏する効果は引用例及び周知技術から当業者が十分に予測できたものであって格別なものとはいえない。  
　
　したがって、本願発明は、引用例に記載された発明及び周知技術に基づいて当業者が容易に発明をすることができたものである。  
　
５　むすび  
　
　以上のとおり、本願の請求項１に係る発明は、特許法第２９条第２項の規定により特許を受けることができないものであるから、その余の請求項に論及するまでもなく、本願は拒絶すべきものである。  
　
　よって、結論のとおり審決する。